(57)【要約】【課題】通気胴縁を兼ねた桟部材およびその上に取り付けられる外装材および外装下地材を柱や梁などの構造材に確実かつ強固に取り付けることができる建築用パネルおよび建物の断熱構造を提供する。【解決手段】壁軸組１の室外側に気密シートからなる気密層２を形成し、その室外側に通気胴縁を兼ねた桟部材３と桟部材４をそれぞれ取り付ける。また、気密層２の室外側に断熱材からなる断熱層５を形成し、その室外側に防湿性防水シートと外装材６を取り付け、断熱層５と外装材６との間に通気層７を形成する。【選択図】                  図１
2004204606.tif 000002
【特許請求の範囲】
【請求項１】
建物の壁または屋根に取り付けられる建築用パネルにおいて、断熱材とその少なくとも一側に取り付けられた面材および複数の桟部材とから形成され、前記断熱材は前記面材の一側に前記桟部材によって固定されてなることを特徴とする建築用パネル。
【請求項２】
桟部材は断面略Ｔ形状、Ｌ形状、Ｈ形状、Ｉ形状、溝形状または断面略十字形状に形成されてなることを特徴とする請求項１記載の建築用パネル。
【請求項３】
断熱材として真空断熱パネル材が用いられてなることを特徴とする請求項１または２記載の建築用パネル。
【請求項４】
軸組の室外側に断熱層を形成し、その室外側に通気層を形成し、さらにその室外側に外装材を取り付けてなる建物の断熱構造において、前記軸組の室外側に通気胴縁を兼ねた桟部材を取り付け、当該桟部材に前記外装材を取り付けてなることを特徴とする建物の断熱構造。
【請求項５】
軸組と断熱層との間に気密層を形成してなることを特徴とする請求項４記載の建物の断熱構造。
【請求項６】
桟部材と桟部材との間に断熱材を取り付けて断熱層を形成してなることを特徴とする請求項４または５記載の建物の断熱構造。
【請求項７】
桟部材は断面略Ｔ形状、Ｌ形状、Ｈ形状、Ｉ形状、溝形状または断面略十字形状に形成されてなることを特徴とする請求項４〜６のいずれかに記載の建物の断熱構造。
【請求項８】
断熱材として合成樹脂発泡材または真空断熱パネル材を取り付けてなることを特徴とする請求項６または７記載の建物の断熱構造。
【発明の詳細な説明】
【０００１】
【発明の属する技術分野】
本願発明は建築用パネルおよび建物の断熱構造に関し、主に鉄骨建物や木造建物の外壁や屋根に適用されるものである。
【０００２】
【従来の技術】
鉄骨建物や木造建物の外壁を外張りの断熱構造とする場合、例えば図４に図示するように柱や梁などの構造材（軸組材）１０の室外側にポリエチレンフィルム等の気密材または合板などの耐力面材を取り付けるとともに、これらの部材の各目地部をテープ処理して気密層１１を形成し、かつその室外側に断熱材を取り付けて断熱層１２を形成している。
【０００３】
また、断熱層１２の室外側に通気層１３を形成するための通気胴縁１４を取り付け、この通気胴縁１４の室外側に不燃性の外装材１５を直接または外装下地材（図省略）を介して取り付けている。
【０００４】
この場合、通気胴縁１４は柱や梁などの構造材１０に断熱層１２を貫通する釘やビス等（図省略）によって固定し、外装材１５または外装下地材は通気胴縁１４にステンレス製リング釘やビス等（図省略）によって固定している。また、断熱層１２と外装材１５または外装下地材との間に通気層１３が形成されている。
【０００５】
【特許文献１】
特許第２７００９３５号
【特許文献２】
特開平１０−４６７４３
【０００６】
【発明が解決しようとする課題】
しかし、上述するような構造では、通気胴縁１４を構造材１０に固定するための釘やビスは、先端のわずかの部分しか柱や梁などの構造材１０に打ち込むことができないため、外装材１５を構造材１０に強固に取り付けることができないおそれがあり、そのため、通気胴縁１４を構造材１０に固定するための釘やビスとして径の太いものや長いものを用い、さらにその打込みピッチをかなり小さくする必要があった。
【０００７】
また、このような措置を講じたとしても、地震などによって目地部にきれつが生じて雨水の浸入するおそれがあった。さらに、面材と断熱材とを一体化する手段として、接着剤を用いると後に分離解体ができないだけでなく、製造コストが嵩む等の課題があり、一方釘やビスを用いると断熱材は一般に軟質材なために一体化しにくいという課題があった。
【０００８】
本願発明は以上の課題を解決するためになされたもので、高い断熱性と通気性を有し、かつ通気胴縁、さらにその上に取り付けられる外装材と外装下地材を柱や梁などの構造材に確実かつ強固に取り付けることができる建築用パネルおよび建物の断熱構造を提供することを目的とするものである。
【０００９】
【課題を解決するための手段】
請求項１記載の建築用パネルは、建物の壁または屋根に取り付けられる建築用パネルにおいて、断熱材とその少なくとも一側に取り付けられた面材および複数の桟部材とから形成され、前記断熱材は前記面材の一側に前記桟部材によって固定されてなることを特徴とするものである。
【００１０】
例えば、屋根用パネルとして取り付けられる建築用パネルの場合、面材の下側に断熱材と複数の桟部材を取り付け、かつ前記断熱材は前記面材の下側に前記桟部材によって固定することにより簡単に形成することができる。
【００１１】
また、壁用パネルとして取り付けられる建築用パネルの場合、面材の室外側に断熱材と複数の桟部材を取り付け、かつ前記断熱材は前記面材の室外側に前記桟部材によって固定することにより簡単に形成することができる。
【００１２】
本願発明は、特に桟部材を軸組に直接釘止めまたはビス止めして取り付けることができることより、桟部材とこの桟部材を介して外装材または外装材と外装下地材の両部材を軸組に確実かつ強固に取り付けることができるものである。また、面材と桟部材と断熱材の三部材が一体的に結合されてパネル化されていることで、三部材の取り付けを一回の作業で行うことができる。
【００１３】
さらに、壁用建築パネルにあっては、面材の室外側に通気胴縁を取り付け、その室外側に外装材を取り付けるだけで必要な通気層を簡単に形成することができ、また屋根用建築パネルにあっては、面材（野地板または屋根下合板）の室内側に桟木を取り付けただけで必要な通気層を簡単に形成することができる。
【００１４】
請求項２記載の建築用パネルは、請求項１記載の建築用パネルにおいて、桟部材は断面略Ｔ形状、Ｌ形状、Ｈ形状、Ｉ形状、溝形状または断面略十字形状に形成されてなることを特徴とするものである。
【００１５】
桟部材として特にこのような断面形状に形成された桟部材を用いることで、断熱材の縁端部を桟部材に掛止することにより、断熱材を釘やビス等を一切用いないできわめて簡単かつ確実に取り付けることができるだけでなく、分離解体も簡単に行うことができる。
【００１６】
請求項３記載の建築用パネルは、請求項１または２記載の建築用パネルにおいて、断熱材として真空断熱パネル材が用いられていることを特徴とするものである。
【００１７】
請求項４記載の建物の断熱構造は、軸組の室外側に断熱層を形成し、その室外側に通気層を形成し、さらにその室外側に外装材を取り付けてなる建物の断熱構造において、前記軸組の室外側に通気胴縁を兼ねた桟部材を取り付け、当該桟部材に前記外装材を取り付けてなることを特徴とするものである。
【００１８】
本願発明は、特に外装材または外装材と外装下地材を取り付けるための桟部材を軸組に直接釘止めまたはビス止めして取り付けることにより、桟部材とこの桟部材を介して外装材または外装材と外装下地材を軸組に確実かつ強固に取り付けることができるようにしてものである。
【００１９】
なお、この場合の通気層は、通常１８ｍｍ〜４０ｍｍ程度が望ましい。また、外装材としては、サイディングボード、モルタル、ＡＬＣ板、あるいは金属板などを用いることができる。さらに、桟部材としては、通常木製桟部材を用いるが、合成樹脂製（低発泡品含む）の桟部材も用いることができる。
【００２０】
請求項５記載の建物の断熱構造は、請求項４記載の建物の断熱構造において、軸組と断熱層との間に気密層を形成してなることを特徴とするものである。この場合の気密層は防湿気密シート、例えば厚さ０．１ｍｍ以上のポリエチレン樹脂系シート、合板、あるいはパーティクルボード等を取り付けることにより容易に形成することができる。さらに、鋼板やフレキシブルボードを用いることにより不燃性の気密層を形成することができる。
【００２１】
請求項６記載の建物の断熱構造は、請求項４または５記載の建物の断熱構造において、桟部材と桟部材との間に断熱材を取り付けて断熱層を形成してなることを特徴とするものである。この場合の断熱材は特に限定されるものではないが、例えばポリスチレン系樹脂、ポリオレフイン系樹脂、ポリウレタン樹脂、フェーノール樹脂などの合成樹脂発泡体および繊維質系断熱材、特に防湿層付きグラスウール等を断熱材として用いることができる。
【００２２】
請求項７記載の建物の断熱構造は、請求項４〜６のいずれかに記載の建物の断熱構造において、桟部材は断面略Ｔ形状、Ｌ形状、Ｈ形状、Ｉ形状、溝形状または断面略十字形状に形成されてなることを特徴とするものである。桟部材は通常、断面略矩形状に形成されたものを用いることができ、特に上述した断面略Ｔ形状などに形成された桟部材を用いることにより、断熱材の縁端部を桟部材に掛止することができるため、断熱材を軸組の室外側に接着剤、または釘やビス等を一切用いないできわめて簡単かつ確実に取り付けることができる。
【００２３】
請求項８記載の建物の断熱構造は、請求項６または７記載の建物の断熱構造において、断熱材として合成樹脂発泡材または真空断熱パネルを取り付けてなることを特徴とするものである。
【００２４】
真空断熱パネルは、連続気泡化した押出発泡ポリスチレンフォームまたはポリウレタンフォームの内部の気体を完全に脱気した後、ガスバリア性の高い材料（例えばアルミ箔積層フィルム、アルミ蒸着フィルム等）で真空パックすることにより形成され、一般に気層の伝熱を抑制し、通常の押出発泡ポリスチレンフォームまたはポリウレタンフォームの２〜３倍の断熱性を有するものである。
【００２５】
断熱材として特に真空断熱パネルを用いることにより、釘などによって真空状態が破壊されるおそれがなく、また断熱性能の非常に高い断熱壁や断熱屋根を形成することができる。例えば、通常のＪＩＳ  Ａ  ９５１１の押出法ポリスチレンフォーム３種（熱伝導率０．０２８Ｗ／ｍ・Ｋ）５０ｍｍの断熱材と同等の平均熱貫流率を有するのに必要な真空断熱パネル（熱伝導率０．０１Ｗ／ｍ・Ｋ）の必要厚さは３０ｍｍとなり、断熱材を４０％程度薄くすることができる。このため、特に厚い断熱材（８０ｍｍ以上）が必要とされる寒冷地においては、サッシ窓枠よりも薄い断熱材を用いることにより、納まり施工が容易となる等の利点がある。
【００２６】
【発明の実施の形態】
図１（ａ），（ｂ）は建物の壁断熱に適用された断熱構造の一例を示し、図において壁軸組１の室外側に気密シートからなる気密層２が形成され、その室外側に通気胴縁を兼ねた桟部材３と桟部材４がそれぞれ取り付けられている。
【００２７】
また、気密層２の室外側に断熱材からなる断熱層５が形成され、その室外側に防湿性防水シート（図省略）と外装材６が重ねてそれぞれ取り付けられ、かつ断熱層５と外装材６との間に通気層７が形成されている。
【００２８】
気密層２には防湿気密シート、例えば厚さ０．１ｍｍ以上のポリエチレン系樹脂シートが用いられ、かつ気密シートは壁軸組１の柱１ａと間柱１ｂにステープル（図省略）によってそれぞれ固定されている。
【００２９】
また、桟部材３と桟部材４はともに木材または合成樹脂材（低発泡材を含む）などから形成され、また桟部材３は断面略Ｔ形状に、桟部材４は断面略Ｌ形状にそれぞれ形成されている。さらに、桟部材３は間柱１ｂの室外側に、桟部材４は間柱１ｂの両側に設置された柱１ａ，１ａの室外側にそれぞれ気密シートの室外側から添え付けられ、かつそれぞれ間柱１ｂと柱１ａに釘またはビス等によって固定されている。
【００３０】
この場合特に、桟部材３は断面略Ｔ形状に、桟部材４は断面略Ｌ形状にそれぞれ形成されていることで、桟部材３と桟部材４の側部に断熱材の縁端部を係合可能な係合片３ａと４ａがそれぞれ形成されている。
【００３１】
断熱層５の断熱材はポリスチレン系樹脂などの合成樹脂発泡体から形成され、また断熱材は桟部材３と４間に嵌め込まれ、かつ縁端部を係合片３ａと４ａにそれぞれ掛止することにより固定されている。
【００３２】
外装材６はサイディングボード、ラスモルタル、ＡＬＣ板、金属板などから形成されている。また、外装材６は桟部材３と桟部材４に釘またはビスによって固定されている。
【００３３】
図２（ａ），（ｂ）は、本願発明の断熱構造の他の例を示し、図において特に断熱材５として真空断熱パネルが用いられている。この場合、押出しポリスチレン板などの硬質樹脂板から矩形板状に形成された基板８に矩形状の打ち抜き孔を多数形成し、この打ち抜き孔にパネル状に形成された断熱材５が一枚一枚、田の字状に嵌め込んで取り付けられている。
【００３４】
また、基板８は桟部材３と４間に嵌め込まれ、かつ縁端部を係合片３ａと４ａにそれぞれ掛止することにより固定されている。したがって、この例においても断熱材５は接着剤や釘などを用いずにきわめて簡単にかつ確実に取り付けることができる。
【００３５】
図３（ａ），（ｂ），（ｃ），（ｄ）は、屋根用パネルとして形成された建築用パネルの一例を示し、図において、合板（野地板または屋根下合板）２の下側に桟部材３と桟部材４がそれぞれ合板２の中央と両端に位置して取り付けられ、また桟部材３と桟部材４間に断熱材からなる断熱層５がそれぞれ形成されている。また、断熱層５を薄めに形成することにより合板（野地板または屋根下合板）２と断熱層５との間に通気層７が形成されている。
【００３６】
桟部材３と桟部材４はともに木材または合成樹脂材などから形成され、また断熱層５の断熱材にはポリスチレン系樹脂などの合成樹脂発泡体が用いられ、この場合の断熱材は、（ａ）の例においては桟部材３と桟部材４に釘やビス等によって固定されている。
【００３７】
また、（ｂ）の例においては、桟部材３は断面略Ｔ形状に、桟部材４は断面略Ｌ形状にそれぞれ形成され、これにより桟部材３と桟部材４の側部に係合片３ａと４ａがそれぞれ形成されている。また、断熱層５の断熱材は中央の桟部材３と両端の桟部材４，４間にそれぞれ嵌め込まれ、かつ縁端部を係合片３ａと４ａにそれぞれ掛止することにより固定されている。
【００３８】
また、図３（ｃ），（ｄ）の例においては、桟部材３は断面略Ｈ形状（またはＩ形状）に、桟部材４は断面略溝形状にそれぞれ形成され、これにより桟部材３と桟部材４の側部に係合溝３ｂと４ｂがそれぞれ形成されている。
【００３９】
そして、断熱層５の断熱材は中央の桟部材３と両端の桟部材４，４間にそれぞれ嵌め込まれ、かつ縁端部を係合溝３ｂと４ｂにそれぞれ係合することにより接着剤や釘などを用いずに固定されている。さらに、図３（ｄ）の例においては、断熱層５の下端面と桟部材３および桟部材４，４の下端面が面一になるように形成されている。
【００４０】
【発明の効果】
本願発明は以上説明したとおりであり、特に通気胴縁を兼ねた桟部材が軸組の室外側に断熱材を介在せず、直接取り付けられているので、桟部材および桟部材を介して外装材を軸組に確実かつ強固に釘止めすることができる等の効果を奏するものである。
【００４１】
またこれにより、これまで桟部材および外装材の取付強度を強固なものとするために、釘径を太くしたり釘ピッチを小さくする等の措置は不要となりコスト的にも有利となる。
【００４２】
さらに、桟部材として断面略Ｔ形状、Ｌ形状、Ｈ形状、Ｉ形状、溝形状または十字形状の桟部材を用いることにより、断熱材を軸組に接着剤または釘やビス等を一切用いずにきわめて簡単に取り付けることができる等の効果もある。
【図面の簡単な説明】
【図１】木造建物の断熱壁構造の一例を示し、（ａ）はその横断面図、（ｂ）は側面図である。
【図２】木造建物の断熱壁構造の他の例を示し、（ａ）はその横断面図、（ｂ）は側面図である。
【図３】（ａ），（ｂ），（ｃ），（ｄ）は、屋根用パネルとして形成された建築用パネルの断面図である。
【図４】木造建物の断熱壁構造の従来例を示す横断面図である。
【符号の説明】
１  壁軸組
１ａ  柱
１ｂ  間柱
２  気密層
３  桟部材
３ａ  係合片
３ｂ  係合溝
４  桟部材
４ａ  係合片
４ｂ  係合溝
５  断熱層
６  外装材
７  通気層
８  基板
【図１】
2004204606.tif 000003
【図２】
2004204606.tif 000004
【図３】
2004204606.tif 000005
【図４】
2004204606.tif 000006